(57)【特許請求の範囲】
【請求項１】
入力モードを備えたモニタと、
このモニタに接続されたスイッチパネルモジュールとを具備し、
このスイッチパネルモジュールは、
モニタが入力モードのとき数字、文字および記号のいずれかが割付けられたモニタの入力キーとして用いられる複数のボタンスイッチと、
エンジン回転数を少なくとも１０段階のダイヤル目盛で設定するアクセルダイヤルとを備え、
数字の入力モードのときアクセルダイヤルの少なくとも１０段階のダイヤル目盛に上記エンジン回転数とは異なるレンジの数値を順次割付ける自動割付機能を備えた
ことを特徴とする入力装置。
【請求項２】
スイッチパネルモジュールは、
少なくとも１０種のボタンスイッチを備え、
数字の入力モードのときテンキーとして用いられる少なくとも１０種のボタンスイッチに割付けられた数値をモニタに入力する割付数値入力機能を備えた
ことを特徴とする請求項１記載の入力装置。
【発明の詳細な説明】
【技術分野】
【０００１】
本発明は、テンキー入力が可能な入力装置に関する。
【背景技術】
【０００２】
図３に示されるように、油圧ショベルのような作業機械は、下部走行体11に対し上部旋回体12が旋回可能に設けられ、この上部旋回体12上にエンジンおよび油圧ポンプなどの動力源装置13とともにキャブ14および作業装置15が搭載されているので、掘削作業、クレーン作業、各種アタッチメント作業などの種々の作業を行なえる。このような油圧ショベルは、使用アタッチメントの流量設定などの各機能および性能を決めるパラメータ設定を有している。この油圧ショベルの運転席16の前方には演算機能を備えたモニタ17が設置されている。
【０００３】
この種の作業機械に搭載されたモニタとしては、例えばモニタ本体部に液晶画面部と共にテンキーが設けられ、このテンキーからの入力により各種パラメータの設定が行なえるものもあるが、テンキーが占めるスペースにより相対的に液晶画面部が小さくなったり、全体寸法が大形化する問題がある（例えば、特許文献１参照）。
【０００４】
一方、図４に示されたモニタ17は、モニタ本体部21に液晶画面部22とボタン操作部23とが設けられ、ボタン操作部23にはアップ・ダウンキー24などが設けられ、モニタ本体部21の下部にヒンジ25により取付けられた蓋カバー26によりボタン操作部23が閉じられ、またボタン操作部23を操作する際は図４に示されるように開かれる。
【０００５】
この図４の左側に示された液晶画面部22には、通常モード画面27が表示され、図４の右側に示された液晶画面部22には、エンジン回転数の設定、使用アタッチメント流量の設定などで用いるサービスモード画面28が表示されている。
【０００６】
このモニタ17はサービスマンだけが設定可能な領域に上記のパラメータ設定を持っており、具体的にはコンフィギュレーション・モードと、ツール・プログラミングとがある。図４の右側に示されたサービスモード画面28は、サービスモードのコンフィギュレーション画面例である。
【０００７】
現行の機体では、上記モニタ17上で各種パラメータを設定する場合に、アップ・ダウンキー24を使ってパラメータの数値を変化させている。
【先行技術文献】
【特許文献】
【０００８】
【特許文献１】特開２００３−９７３３８号公報（第３頁、図２）
【発明の概要】
【発明が解決しようとする課題】
【０００９】
このようなアップ・ダウンキー24を用いて数値変更する場合は、目指す数値をダイレクトに入力できず、例えば、１９８０ｒｐｍと入力しようとしても、前回値から数字を増減させていくしかなく、数値変更に時間が掛かり、作業性がよくない。
【００１０】
本発明は、このような点に鑑みなされたもので、モニタに対してモニタの外部からキー入力が可能な入力装置を提供することを目的とする。
【課題を解決するための手段】
【００１１】
請求項１に記載された発明は、入力モードを備えたモニタと、このモニタに接続されたスイッチパネルモジュールとを具備し、このスイッチパネルモジュールは、モニタが入力モードのとき数字、文字および記号のいずれかが割付けられたモニタの入力キーとして用いられる複数のボタンスイッチと、エンジン回転数を少なくとも１０段階のダイヤル目盛で設定するアクセルダイヤルとを備え、数字の入力モードのときアクセルダイヤルの少なくとも１０段階のダイヤル目盛に上記エンジン回転数とは異なるレンジの数値を順次割付ける自動割付機能を備えた入力装置である。
【００１２】
請求項２に記載された発明は、請求項１記載の入力装置におけるスイッチパネルモジュールが、少なくとも１０種のボタンスイッチを備え、数字の入力モードのときテンキーとして用いられる少なくとも１０種のボタンスイッチに割付けられた数値をモニタに入力する割付数値入力機能を備えたものである。
【発明の効果】
【００１３】
請求項１記載の発明によれば、モニタに接続されたスイッチパネルモジュールが複数のボタンスイッチを備え、モニタが入力モードのとき、これらのボタンスイッチが数字、文字および記号のいずれかが割付けられたモニタの入力キーとして用いられるので、モニタの外部に位置する操作容易なスイッチパネルモジュールからモニタに対して数字、文字および記号のいずれかを効率良くキー入力することが可能となり、入力作業の作業性を向上できる。また、数字の入力モードのときスイッチパネルモジュールに備えたアクセルダイヤルの少なくとも１０段階のダイヤル目盛にエンジン回転数とは異なるレンジの数値を順次割付ける自動割付機能を備えたので、エンジン回転数以外の設定においてもアクセルダイヤルからモニタに対して効率の良い数値入力作業を行なえる。
【００１４】
請求項２記載の発明によれば、数字の入力モードのときテンキーとして用いられる少なくとも１０種のボタンスイッチに割付けられた数値をモニタに入力する割付数値入力機能を備えたので、これらのボタンスイッチによって、モニタに対して効率の良い数値入力作業を行なえる。
【図面の簡単な説明】
【００１５】
【図１】本発明に係る入力装置の一実施の形態を示すシステム構成図である。
【図２】同上入力装置の制御フローを示すフローチャートである。
【図３】同上入力装置を備えた作業機械の側面図である。
【図４】同上入力装置のモニタ画面の切換を示す説明図である。
【発明を実施するための形態】
【００１６】
以下、本発明を、図１および図２に示された一実施の形態に基いて詳細に説明する。なお、図３および図４は、本発明の説明でも参照するが、その説明は省略する。
【００１７】
図１に示されるように、油圧ショベルのキャブ14内に設置されたモニタ17と、油圧ショベルの走行系、旋回系および作業装置15などの油圧機器類を電子制御する機体コントローラ18と、車載エンジンの燃料噴射を電子制御するエンジンコントローラ19と、スイッチパネルモジュール29とが、コントローラ・エリア・ネットワーク・バス（Controller Area Network BUS：ＣＡＮバス）30により接続されている。スイッチパネルモジュール29は、図３におけるキャブ14内の運転席16に一体化されたコンソール16c上などに設置されている。
【００１８】
モニタ17は、演算記憶機能を備え、図４に示されるホームボタンスイッチ23h、メニューボタンスイッチ23m、オーケーボタンスイッチ23okおよびキャンセルボタンスイッチ23cなどを操作して、図４の左側に示される通常モード画面27から、図４の右側に示されるサービスモード画面28に切換えることができ、このサービスモード画面28では、数値を増減するアップ・ダウンキー24により数値を変更して、エンジン回転数の設定、使用アタッチメント流量の設定などを行なえる数値入力機能を本来備えている。
【００１９】
さらに、モニタ17に接続されたスイッチパネルモジュール29は、モニタ17が入力モードのとき数字、文字（アルファベット、カナなど）および記号のいずれかが割付けられたモニタ17の入力キーとして用いられる複数のボタンスイッチ31〜40を備えている。
【００２０】
これらのボタンスイッチ31〜40は、図１に示されるように、モニタ17が数字の入力モードのときはテンキーとして用いられるものであり、これらのボタンスイッチ31〜40には、少なくとも１〜９および０の数値が割付けられ、これらの数値をモニタ17に入力する割付数値入力機能を備えているが、入力モードの切換により文字または記号の割付などを考慮すると、スイッチパネルモジュール29には、１０種を超えるボタンスイッチを設置しても良い。要するに、入力モードに応じて数字、文字、記号のいずれかの割付が適宜選択されるようにする。
【００２１】
図示された各ボタンスイッチ31〜40の本来の機能を例示すると、ボタンスイッチ31は、例えばエンジン回転数を抑えるエコモードに切換えるスイッチであり、ボタンスイッチ32は、例えば走行速度を緩急切換するスイッチであり、ボタンスイッチ33は、例えば無負荷時にエンジン回転数を自動的に落とすオートデセルモードに切換えるスイッチであり、ボタンスイッチ34は、例えば走行時のアラーム音を解除するスイッチであり、ボタンスイッチ35は、例えばバケット・アタッチメントモードを切換えるスイッチであり、ボタンスイッチ36は、例えばリアビューカメラをオン・オフするスイッチであり、ボタンスイッチ37は、例えばライトをオン・オフするスイッチであり、ボタンスイッチ38は、例えばキャブ14のワイパをオン・オフするスイッチであり、ボタンスイッチ39は、例えばワイパ用洗浄液ポンプをオン・オフするスイッチであり、ボタンスイッチ40は、例えばクレーンモードに切換えるスイッチである。
【００２２】
さらに、スイッチパネルモジュール29は、無負荷時のエンジン回転数を設定するアクセルダイヤル41を備え、このアクセルダイヤル41は、エンジン回転数を少なくとも１０段階のダイヤル目盛42で設定するので、数字の入力モードのときアクセルダイヤル41の少なくとも１０段階のダイヤル目盛42に割付けられた数値をモニタ17に入力する割付数値入力機能を備えている。
【００２３】
そして、このアクセルダイヤル41と連動して、図４の右側に示されたサービスモード画面28において、ダイヤル目盛42に割付けられた数値によりモニタ画面上の数値43を変更したり、モニタ画面上で選択すべき項目44をスライドさせる機能も備えている。
【００２４】
数字、文字および記号の入力モードの切換は、モニタ17側で行なっても良いしスイッチパネルモジュール29側で行なっても良い。例えば、モニタ17側のメニューボタンスイッチ23mにより表示された選択画面上で入力モードを切り換えたり、スイッチパネルモジュール29側のボタンスイッチ31〜40を入力キーとする場合はアクセルダイヤル41により入力モードを切り換えるようにしても良いし、図１には示されない入力モード切換用のスイッチ類をスイッチパネルモジュール29上に設置しても良い。
【００２５】
次に、図１に示された実施の形態の作用効果を、図２に示された数字の入力モードの場合のフローチャートなどを参照しながら説明する。
【００２６】
（ステップ１）
モニタ17が通常動作モードか否かを判断する。
【００２７】
（ステップ２）
通常動作モードでは、図４の左側に示された時刻、アクセルダイヤル位置、燃料レベル、作動油温、冷却水温および稼働時間などの基本情報を文字や記号で表示する通常モード画面27となる。
【００２８】
（ステップ３）
モニタ17が通常モード画面27のときに、スイッチパネルモジュール29のボタンスイッチ31〜40を押すと、各ボタンスイッチ31〜40が本来有する各種機能の切換またはオン・オフを選択できる。
【００２９】
（ステップ４）
モニタ17が通常モード画面27のときに、アクセルダイヤル41を操作すると、無負荷時のエンジン回転数を、アクセルダイヤル41が示すダイヤル目盛42で設定された数値に選択できる。
【００３０】
このように、モニタ17の通常動作モード時は、スイッチパネルモジュール29は、あくまで通常スイッチおよびアクセルダイヤルとして動作する。
【００３１】
（ステップ５）
モニタ17が通常動作モードでないときは、サービスモード画面28を表示する。
【００３２】
（ステップ６）
サービスモード画面28では数値入力モードとなる。
【００３３】
（ステップ７）
モニタ17がサービスモード画面28の数値入力モードになった場合は、通常動作モードから外れ、スイッチパネルモジュール29のボタンスイッチ31〜40には、１〜９および０が割付けられ、これらのボタンスイッチ31〜40は、１〜９および０を入力するテンキーとして機能する。
【００３４】
また、スイッチパネルモジュール29のアクセルダイヤル41は数値を大きく変えることができ、例えば、０〜４０００ｋＰａのレンジの場合、アクセルダイヤル41のダイヤル目盛42は１〜１０であるから、１目盛で「４００」ずつ増加する自動割付機能が働き、ダイヤル目盛42の「１」は０に、ダイヤル目盛42の「２」は４００に、「３」は８００に、「４」は１２００に、と順次割付けることができる。
【００３５】
さらに、モニタ17が文字または記号の入力モードに切り換えられた場合は、モニタ17に接続されたスイッチパネルモジュール29のボタンスイッチ31〜40から、これらに割付けられた文字または記号をモニタ17に入力する。
【００３６】
このように、モニタ17に接続されたスイッチパネルモジュール29が複数のボタンスイッチ31〜40を備え、モニタ17が入力モードのとき、これらのボタンスイッチ31〜40が数字、文字および記号のいずれかが割付けられたモニタ17の入力キーとして用いられるので、モニタの外部に位置する操作容易なスイッチパネルモジュール29からモニタ17に対して数字、文字および記号のいずれかを効率良くキー入力することが可能となり、入力作業の作業性を向上できる。
【００３７】
特に、モニタ17にＣＡＮバス30で接続されたスイッチパネルモジュール29が、テンキーとして用いられる少なくとも１０種のボタンスイッチ31〜40を備え、モニタ17が数字の入力モードのとき、これらのボタンスイッチ31〜40に割付けられた数値をモニタ17に入力する割付数値入力機能を備えたので、これらのテンキーとして用いられるボタンスイッチ31〜40によって、テンキーを備えていないモニタ17に対して効率の良いテンキー入力が可能となり、数値入力作業の作業性を向上できる。
【００３８】
また、数字の入力モードのときスイッチパネルモジュール29に備えたアクセルダイヤル41の少なくとも１０段階のダイヤル目盛42に割付けられた数値をモニタ17に入力する割付数値入力機能を備えたので、このアクセルダイヤル41によっても、モニタ17に対して効率の良い数値入力作業を行なえる。
【００３９】
さらに、他の機能としては、アクセルダイヤル41のダイヤル目盛42と、モニタ表示画面上の複数の項目とを対応させることで、アクセルダイヤル41による項目選択の簡易化を図れる。
【００４０】
このようにして、モニタ17におけるサービス性の向上を図れるが、さらに、スイッチパネルモジュール29のボタンスイッチ31〜40に数値割付をしたことにより、モニタ画面無しでのパスワード入力対応が可能となり、パスワードによる作業機械の盗難防止機能などを容易に付加できる。
【産業上の利用可能性】
【００４１】
本発明の入力装置は、作業機械の製造業などにおいて利用できる。
【符号の説明】
【００４２】
17    モニタ
29    スイッチパネルモジュール
31〜40    ボタンスイッチ
41    アクセルダイヤル
42    ダイヤル目盛
【図１】
0005622227.tif 000002
【図２】
0005622227.tif 000003
【図３】
0005622227.tif 000004
【図４】
0005622227.tif 000005